【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
アプリケーション（アプリ）を起動する方法であって：
ウェブページを第１のローカルアプリにより開き、第２のローカルアプリを呼び起こすステップ（Ｓ１１０）と；
ローカルサーバを前記第２のローカルアプリにより起動するステップ（Ｓ１２０）と；
ＪＳ参照リクエストを前記ローカルサーバへ、前記第１のローカルアプリにより送信するステップ（Ｓ１３０）と；
所定のポート群内のポートを用いて前記ローカルサーバから返された応答を受信したときに、前記第１のローカルアプリの、指定されたダウンロードページへのジャンプを停止するステップ（Ｓ１４０）と；を備える、
アプリケーションを起動する方法。
【請求項２】
前記ウェブページのリンクアドレスがトリガされ開かれると、前記第１のローカルアプリは、前記対応するウェブページを開き、
前記第１のローカルアプリは、ブラウザアプリ、又はＷｅｂＶｉｅｗコンポーネントを統合するローカルアプリを備える、
請求項１に記載の方法。
【請求項３】
前記ウェブページのリンクアドレスがトリガされ開かれると、前記第１のローカルアプリは、前記ウェブページの前記アドレスに含まれるパラメータをＵＲＩに結合し、前記ＵＲＩに対応する前記第２のローカルアプリを呼び出して、これを開く、
請求項１に記載の方法。
【請求項４】
前記ＪＳ参照リクエストを前記ローカルサーバへ送信するステップは、ＪＳＯＮＰを介して前記ＪＳリクエストを前記ローカルサーバへ送信するステップを備える、
請求項１に記載の方法。
【請求項５】
前記ＪＳ参照リクエストを前記ローカルサーバへ、前記第１のローカルアプリにより送信するステップは：
前記ウェブページへ＜ｓｃｒｉｐｔ＞タグを動的に追加することによって生成された前記ローカルサーバのアドレスを含むＪＳ参照リクエストを、前記第１のローカルアプリにより前記ローカルサーバへ送信するステップを備える、
請求項１に記載の方法。
【請求項６】
前記＜ｓｃｒｉｐｔ＞タグは、前記ウェブページが、前記ローカルサーバによって動的に生成されたデータ情報を取得できるようにする、
請求項５に記載の方法。
【請求項７】
前記第１のローカルアプリによって送信される前記ＪＳ参照リクエストはポート番号を含み、前記ポート番号は、デフォルト値、又は前記第２のローカルアプリにより起動されるローカルサーバとの間で前記第１のローカルアプリによって事前取決めされる、ポート番号である、
請求項５に記載の方法。
【請求項８】
前記第２のローカルアプリは前記ローカルサーバを起動し、前記ポート番号を、事前取決めによりポート番号群のうちの第１のポート番号に設定し；
前記第１のローカルアプリによって送信される前記ＪＳ参照リクエストは、前記事前取決めによりポート番号群のうちの前記第１のポート番号を備える、
請求項７に記載の方法。
【請求項９】
前記第２のローカルアプリは、前記ローカルサーバを起動し、設定された前記第１のポート番号が占有されている場合、前記ポート番号を、前記事前取決めによりポート番号群のうちの第２のポート番号に設定し；
前記第１のローカルアプリは、前記第１のポート番号を用いて前記ＪＳ参照リクエストを送信し、前記第１のローカルアプリが前記ローカルサーバによって返される前記応答を所定時間内に受信しない場合、前記事前取決めによりポート番号群のうちの前記第２のポート番号を用いて前記ＪＳ参照リクエストを送信する、
請求項８に記載の方法。
【請求項１０】
前記ローカルサーバによって返される応答を受信したとき、前記第１のローカルアプリにより、指定されたダウンロードページへのジャンプを停止するステップは：
前記ローカルサーバによって返される前記応答を所定応答時間内に受信したとき、前記第１のローカルアプリにより、前記指定されたダウンロードページへのジャンプを停止するステップを備える、
請求項１乃至請求項９のいずれか１項に記載の方法。
【請求項１１】
前記ローカルサーバによって返される前記応答を前記所定応答時間内に受信しないとき、前記第１のローカルアプリにより、前記指定されたダウンロードページへジャンプするステップを備える、
請求項１０に記載の方法。
【請求項１２】
前記応答が事前取決めによる応答を満たす場合に、前記第１のローカルアプリが、前記第２のローカルアプリが前記ローカルサーバを起動したと特定するステップを更に備える、
請求項１０に記載の方法。
【請求項１３】
請求項１乃至請求項１２のいずれか１項に記載の方法を実行するように構成された複数のモジュールを備える、
アプリケーションを起動するためのシステム。
【手続補正２】
【補正対象書類名】明細書
【補正対象項目名】００６９
【補正方法】変更
【補正の内容】
【００６９】
上述のものは本願の一実施の形態に過ぎず、本願を限定するものではない。当業者にとって、本願は様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
アプリケーション（アプリ）起動方法であって：
ウェブページを第１のローカルアプリにより開き、第２のローカルアプリを呼び起こすステップと；
ローカルサーバを前記第２のローカルアプリにより起動するステップと；
ＪＳ参照リクエストを前記ローカルサーバへ、前記第１のローカルアプリにより送信するステップと；
前記ローカルサーバによって返される応答を受信したとき、前記第１のローカルアプリにより、指定されたダウンロードページへのジャンプを停止するステップと；を備える、
アプリケーション起動方法。
［第２の局面］
前記ウェブページのリンクアドレスがトリガされ開かれると、前記第１のローカルアプリは、前記対応するウェブページを開き、
前記第１のローカルアプリは、ブラウザアプリ、又はＷｅｂＶｉｅｗコンポーネントを統合するローカルアプリを備える、
第１の局面に記載のアプリケーション起動方法。
［第３の局面］
前記ウェブページのリンクアドレスがトリガされ開かれると、前記第１のローカルアプリは、前記ウェブページの前記アドレスに含まれるパラメータをＵＲＩに結合し、前記ＵＲＩに対応する前記第２のローカルアプリを呼び出して、これを開く、
第１の局面に記載のアプリケーション起動方法。
［第４の局面］
ＪＳ参照リクエストを前記ローカルサーバへ送信する前記ステップは、ＪＳＯＮＰを介して前記ＪＳリクエストを前記ローカルサーバへ送信するステップを備える、
第１の局面に記載のアプリケーション起動方法。
［第５の局面］
ＪＳ参照リクエストを前記ローカルサーバへ、前記第１のローカルアプリにより送信する前記ステップは：
前記ウェブページへ＜ｓｃｒｉｐｔ＞タグを動的に追加することによって生成された前記ローカルサーバのアドレスを含むＪＳ参照リクエストを、前記第１のローカルアプリにより前記ローカルサーバへ送信するステップを備える、
第１の局面に記載のアプリケーション起動方法。
［第６の局面］
前記第１のローカルアプリによって送信される前記ＪＳ参照リクエストはポート番号を含み、前記ポート番号は、デフォルト値、又は前記第２のローカルアプリにより起動されるローカルサーバとの間で前記第１のローカルアプリによって事前取決めされる、ポート番号である、
第５の局面に記載のアプリケーション起動方法。
［第７の局面］
前記第２のローカルアプリは前記ローカルサーバを起動し、前記ポート番号を、事前取決めによりポート番号群のうちの第１のポート番号に設定し；
前記第１のローカルアプリによって送信される前記ＪＳ参照リクエストは、前記事前取決めによりポート番号群のうちの前記第１のポート番号を備える、
第６の局面に記載のアプリケーション起動方法。
［第８の局面］
前記第２のローカルアプリは、前記ローカルサーバを起動し、設定された前記第１のポート番号が占有されている場合、前記ポート番号を、前記事前取決めによりポート番号群のうちの第２のポート番号に設定し；
前記第１のローカルアプリは、前記第１のポート番号を用いて前記ＪＳ参照リクエストを送信し、前記第１のローカルアプリが前記ローカルサーバによって返される前記応答を所定時間内に受信しない場合、前記事前取決めによりポート番号群のうちの前記第２のポート番号を用いて前記ＪＳ参照リクエストを送信する、
第７の局面に記載のアプリケーション起動方法。
［第９の局面］
前記ローカルサーバによって返される応答を受信したとき、前記第１のローカルアプリにより、指定されたダウンロードページへのジャンプを停止する前記ステップは：
前記ローカルサーバによって返される前記応答を所定応答時間内に受信したとき、前記第１のローカルアプリにより、前記指定されたダウンロードページへのジャンプを停止するステップを備える、
第１の局面に記載のアプリケーション起動方法。
［第１０の局面］
前記ローカルサーバによって返される前記応答を前記所定応答時間内に受信しないとき、前記第１のローカルアプリにより、前記指定されたダウンロードページへジャンプするステップを備える、
第９の局面に記載のアプリケーション起動方法。
［第１１の局面］
アプリケーション起動システムであって：
ウェブページを開き、第２のローカルアプリを呼び出すように構成され、ＪＳ参照リクエストをローカルサーバへ送信するように更に構成され、前記ローカルサーバによって返される応答を受信すると、指定されたダウンロードページへのジャンプを停止するように更に構成された、第１のローカルアプリと；
前記ローカルサーバを起動するように構成された前記第２のローカルアプリと；
前記第１のローカルアプリによって送信された前記ＪＳ参照リクエストを受信し、前記ＪＳ参照リクエストを受信したときに前記第１のローカルアプリへ前記応答を返すように構成された前記ローカルサーバと；を備える、
アプリケーション起動システム。
［第１２の局面］
前記ウェブページのリンクアドレスがトリガされ開かれると、前記第１のローカルアプリは、前記対応するウェブページを開き、
前記第１のローカルアプリは、ブラウザアプリ、又はＷｅｂＶｉｅｗコンポーネントを統合するローカルアプリを備える、
第１１の局面に記載のアプリケーション起動システム。
［第１３の局面］
前記ウェブページのリンクアドレスがトリガされ開かれると、前記第１のローカルアプリは、前記ウェブページの前記アドレスに含まれるパラメータをＵＲＩに結合し、前記ＵＲＩに対応する前記第２のローカルアプリを呼び出して、これを開く、
第１１の局面に記載のアプリケーション起動システム。
［第１４の局面］
前記ＪＳ参照リクエストを前記ローカルサーバへ送信することは：ＪＳＯＮＰを介して前記ＪＳリクエストを前記ローカルサーバへ送信することを備える、
第１１の局面に記載のアプリケーション起動システム。
［第１５の局面］
前記第１のローカルアプリが前記ＪＳ参照リクエストを前記ローカルサーバへ送信することは：
前記ローカルサーバのアドレスへ＜ｓｃｒｉｐｔ＞タグを動的に追加することによって生成された前記ローカルサーバのアドレスを含むＪＳ参照リクエストを、前記第１のローカルアプリが前記ローカルサーバへ送信することを備える、
第１１の局面に記載のアプリケーション起動システム。
［第１６の局面］
前記第１のローカルアプリによって送信される前記ＪＳ参照リクエストはポート番号を含み、前記ポート番号は、デフォルト値、又は前記第２のローカルアプリにより起動されるローカルサーバとの間で前記第１のローカルアプリによって事前取決めされる、ポート番号である、
第１５の局面に記載のアプリケーション起動システム。
［第１７の局面］
前記第２のローカルアプリは、前記ローカルサーバを起動するプロセスにおいて、前記ポート番号を、事前取決めによりポート番号群のうちの第１のポート番号に設定し；
前記第１のローカルアプリによって送信される前記ＪＳ参照リクエストは、前記事前取決めによるポート番号群のうちの前記第１のポート番号を備える、
第１６の局面に記載のアプリケーション起動システム。
［第１８の局面］
前記第２のローカルアプリは、前記ローカルサーバを起動し設定された前記第１のポート番号が占有されている場合、前記ポート番号を、前記事前取決めによりポート番号群のうちの第２のポート番号に設定し；
前記第１のローカルアプリは、前記第１のポート番号を用いて前記ＪＳ参照リクエストを送信し、前記第１のローカルアプリが前記ローカルサーバによって返される前記応答を所定時間内に受信しない場合、前記事前取決めによりポート番号群のうちの前記第２のポート番号を用いて前記ＪＳ参照リクエストを送信する、
第１７の局面に記載のアプリケーション起動システム。
［第１９の局面］
前記ローカルサーバによって返される前記応答を受信したとき、前記第１のローカルアプリが前記指定されたダウンロードページへのジャンプを停止することは：
前記ローカルサーバによって返される前記応答を所定応答時間内に受信したとき、前記第１のローカルアプリが前記指定されたダウンロードページへのジャンプを停止することを備える、
第１１の局面に記載のアプリケーション起動システム。
［第２０の局面］
前記第１のローカルアプリが、前記ローカルサーバによって返される前記応答を前記所定応答時間内に受信しないとき、前記第１のローカルアプリは、前記指定されたダウンロードページへジャンプする、
第１９の局面に記載のアプリケーション起動システム。